(57)【要約】      （修正有）【課題】従来のシャワーヘッドに比べてヘッド部の向きを大きく変えることができ、使い勝手に優れたシャワーヘッドを提供する。【解決手段】ヘッド部２とグリップ１の間に、曲げ変形可能であり、曲げた場合にその曲げ形状を保持するフレキシブル連結ロッド１６と、このフレキシブル連結ロッドの変形に伴って変形し、グリップ側からヘッド側に水を導く屈曲可能なフレキシブルホース１７とからなる角度調節手段３を設け、ヘッド部の向きを大きく調節できるようにした。【選択図】図２
0003168789.tif 000002
【実用新案登録請求の範囲】
【請求項１】
散水部を備えたヘッド部と、グリップと、これらヘッド部とグリップの間に設けられ、ヘッド部の向きを変更可能な角度調節手段と、を具備し、
上記角度調節手段は、
曲げ変形可能であり、曲げた場合にその曲げ形状を保持するフレキシブル連結ロッドと、上記フレキシブル連結ロッドの変形に伴って変形し、グリップ側からヘッド側に通水を導く屈曲自在なフレキシブルホースよりなる通水路と、
を備えたことを特徴とするシャワーヘッド。
【請求項２】
フレキシブル連結ロッドは、両端にオス型球面を有するアームと、少なくとも一端に上記オス型球面が摺動可能に嵌合するメス型球面を有するさや管とを連結してなる複数関節ロッドにより形成されていることを特徴とする請求項１に記載のシャワーヘッド。
【請求項３】
フレキシブル連結ロッドは、曲げ変形可能であり、曲げた場合にその曲げ形状を保持する金属ワイヤーにより形成されていることを特徴とする請求項１に記載のシャワーヘッド。
【請求項４】
フレキシブル連結ロッドは、複数の金属ワイヤーを拠り合せて構成してあることを特徴とする請求項３に記載のシャワーヘッド。
【請求項５】
フレキシブル連結ロッドがフレキシブルホースを挟んで左右にそれぞれ配置されていることを特徴とする請求項１ないし請求項４のいずれか一に記載のシャワーヘッド。
【請求項６】
ヘッド部とグリップとの間に、上記角度調節手段を覆う屈曲自在なチューブカバーを被覆してあることを特徴とする請求項１ないし請求項５のいずれか一に記載のシャワーヘッド。
【考案の詳細な説明】
【技術分野】
【０００１】  本考案は、一般家庭の浴室や浴場、温泉、ホテルのバスルーム等に設けられて身体や頭髪等を洗うシャワーヘッドに関する。
【背景技術】
【０００２】  一般家庭の浴室や浴場、温泉、ホテルのバスルームなどで使用されるシャワーヘッドは、グリップ部と、噴射部を備えるヘッド部を有し、通常、グリップ部がシャワーホースに接続されているとともに浴室の壁面に取り付けられた支持フックに引っ掛けられるようになっている。このようなシャワーヘッドが支持フックに支持された状態では、ヘッドの向き、すなわちシャワー水の噴射方向は一定となり、シャワー水の当る領域が特定される。
しかしながら、使用者がシャワーを浴びる際、使用者の体格や立ち位置又は椅子に座った位置により、使用者の希望する場所にシャワー水が届かない場合がある。このようなとき、使用者が移動してシャワー水を望む場所に当るように調整したり、シャワーヘッドを手で持って動かしてシャワー水を希望する場所に当てる必要があった。
【先行技術文献】
【特許文献】
【０００３】
【特許文献１】  特開２００６−１０１９１４号
【考案の概要】
【考案が解決しようとする課題】
【０００４】    上記特許文献１には、ヘッド部の向きを自在に変更してシャワー水の向きを選択できるシャワー装置が開示されている。この種のヘッド部の向きを変える手段は、シャワーの基端部とヘッド部の間に、内部に通水路を形成した球面継手を設け、球面継手の回動によりヘッドの向きを変えられるようになっている。しかしながら、このような球面継手でシャワー水の噴射方向を調節する場合、大きく傾けると球面が内部の通水路を塞ぐことになるので曲げ角度に制約を受け、例えば真下に向けてシャワー水が届かない、などのように、広い範囲に亘って噴射方向を調節することができないといった不具合がある。【０００５】  この考案の目的は、ヘッドの曲げ角度を大きくすることができてシャワー水の噴射方向の選択領域を大幅に変えることができ、使い勝手に優れたシャワーヘッドを提供しようとするものである。
【課題を解決するための手段】
【０００６】  請求項１の考案は、散水部を備えたヘッド部と、グリップと、これらヘッド部とグリップの間に設けられ、ヘッド部の向きを変更可能な角度調節手段と、を具備し、上記角度調節手段は、曲げ変形可能であり、曲げた場合にその曲げ形状を保持するフレキシブル連結ロッドと、上記フレキシブル連結ロッドの変形に伴って変形し、グリップ側からヘッド側に通水を導く屈曲自在なフレキシブルホースよりなる通水路と、を備えたシャワーヘッドが提供される。
請求項２の考案は、フレキシブル連結ロッドは、両端にオス型球面を有するアームと、少なくとも一端に上記オス型球面が摺動可能に嵌合するメス型球面を有するさや管とを連結してなる複数関節ロッドにより形成されていることを特徴とするシャワーヘッドが提供される。
請求項３の考案は、フレキシブル連結ロッドは、曲げ変形可能であり、曲げた場合にその曲げ形状を保持する金属ワイヤーにより形成されていることを特徴とするシャワーヘッドが提供される。
請求項４の考案は、フレキシブル連結ロッドは、複数の金属ワイヤーを拠り合せて構
成してあることを特徴とするシャワーヘッドが提供される。
請求項５の考案は、フレキシブル連結ロッドがフレキシブルホースを挟んで左右にそれぞれ配置されていることを特徴とするシャワーヘッドが提供される。
請求項６の考案は、ヘッド部とグリップとの間に、上記角度調節手段を覆う屈曲自在なチューブカバーを被覆してあることを特徴とするシャワーヘッドが提供される。
【考案の効果】
【０００７】  請求項１の考案によれば、ヘッド部がグリップに対し角度変更可能になっているので、ヘッド部の向き、すなわちシャワー水の噴射方向を自在に変更することができる。この種のハンド式シャワーヘッドは壁掛けフックに引っ掛けて固定された状態で使用する場合もあり、または手で握ってシャワーの向きを変えつつ操作する場合もあるが、いずれの場合でもヘッド部の向きを調節できるので、使い勝手が良くなる。
しかも、角度調節手段が、曲げ変形可能であり、曲げた場合にその曲げ形状を保持するフレキシブル連結ロッドにより構成されているので、従来の単一の球面継手タイプに比べて、曲げ方向を大きく変えることができる。
請求項２の考案によれば、フレキシブル連結ロッドが、両端にオス型球面を有するアームと、少なくとも一端に上記オス型球面が摺動可能に嵌合するメス型球面を有するさや管とを連結してなる複数関節ロッドで構成されているから曲げ変形自在であり、ヘッド部の向きをいずれの方向にも調節でき、使い勝手が良くなる。
請求項３の考案によれば、フレキシブルロッドが曲げ変形可能であり、曲げた場合にその曲げ形状を保持する金属ワイヤーにより形成されているから曲げ変形自在であり、ヘッド部の向きをいずれの方向にも調節でき、使い勝手が良くなる。
請求項４の考案によれば、フレキシブル連結ロッドが複数の金属ワイヤーを拠り合せて構成されているから曲げ変形自在であり、ヘッド部の向きをいずれの方向にも調節でき、しかも繰り返しの曲げ変形に耐える。
請求項５の考案によれば、フレキシブル連結ロッドがフレキシブルホースを挟んで左右にそれぞれ配置されているので、機械的強度が増すとともに、ヘッド部の向きを俯仰方向に調節可能である。
請求項６の考案によれば、ヘッド部とグリップ部との間に、角度調節手段を覆う屈曲自在なカバーチューブを被覆してあるから、角度調節手段が外から見えず、外観が向上する。
【図面の簡単な説明】
【０００８】
【図１】  実施例１を示し、シャワーヘッドの使用状況を示す側面図であり、（Ａ）図は直立姿勢の図、（Ｂ）図は俯き状態に調節した姿勢の図
【図２】  同シャワーヘッドの断面図
【図３】  同シャワーヘッドに用いた多数関節ロッドの断面図
【図４】  同シャワーヘッドに用いたフレキシブルホースの断面図
【図５】  実施例２の多数関節ロッドを示す図
【図６】  実施例３のシャワーヘッドの断面図
【考案を実施するための形態】
【０００９】
【実施例１】
【００１０】    実施例１について、図１ないし図４にもとづき説明する。図１はシャワーヘッドの使用状況を示す側面図であり、（Ａ）図は直立姿勢の図、（Ｂ）図は俯き状態に調節した姿勢の図、図２は同シャワーヘッドの断面図、図３は同シャワーヘッドに用いた多数関節ロッドの断面図、図４は同シャワーヘッドに用いたフレキシブルホースの断面図である。
１はシャワーヘッドを構成するグリップであり、２はヘッド部である。これらグリップ１およびヘッド部２は、それぞれ合成樹脂にて形成されており、互いに分割されている。これらグリップ１とヘッド部２の間には、ヘッド部の向きを調節可能な角度調節手段３が設けられている。
グリップ１は、基端部に接続ねじ部４を有しており、このねじ部４はシャワーホース５に取り付けられたホース金具（樹脂製もある）６に接続される。シャワーホース５は給水源としての図示しない混合栓などに接続される。ホース金具６は、浴室の壁に取り付けたＵ字形の支持フック７に差し込まれるようになっており、これにより、シャワーヘッドは支持フック７に脱着可能に支持される。
グリップ１内には、基端から先端に至るグリップ側通水路８が形成されている。この通水路８の先端にはホース差込口８ａが形成されている。
ヘッド部２は、前面に散水板１０を備えており、この散水板１０には多数の散水孔１１が形成されている。この散水板１０は水密を保つゴムなどのパッキン材１２を介して押えリング１３によってヘッド部２に脱着可能に取付けられている。
また、ヘッド部２には、グリップ側から流れてくる水（お湯）を散水板１０に導くヘッド側通水路１４が形成されており、このヘッド側通水路１４の上記グリップ１に対向する基端部にはホース差込口１４ａが形成されている。【００１１】  上記グリップ１とヘッド部２の間に設けられた角度調節手段３について説明する。
角度調節手段３は、左右一対のフレキシブル連結ロッド１６，１６と、グリップ側からヘッド側に通水を導くための通水路としてフレキシブルホース１７を備えている。
フレキシブル連結ロッド１６，１６は、上記ヘッド部２の俯仰角を調節すべく、手で外力を加えると屈曲可能であり、しかも外力を除くとその屈曲形状を維持する機能を備えている。
フレキシブル連結ロッド１６，は、本実施例の場合、多数関節ロッド１８にて構成されている。多数関節ロッド１８は、図３に示すように、複数のアーム１９…と、複数のさや管２０…を交互に連結したものであり、アーム１９は両端にオス型球面１９ａ，１９ａを備える。さや管２０は両端の内面にメス型球面２０ａ、２０ａを備える。アーム１９のオス型球面１９ａはさや管２０のメス型球面２０ａに嵌合されており、これらオス型球面１９ａとメス型球面２０ａは互いに所定の摩擦力を持って摺動可能に結合されている。１個のアーム１９は両端に設けたオス型球面１９ａ，１９ａがそれぞれ隣接するさや管２０，２０のメス型球面２０ａ、２０ａに摺動可能に嵌合しているのでそれぞれ関節構造となり、これらアーム１９とさや管２０，２０は互いに屈曲可能となり、しかも所定の摩擦力で摺接しているので屈曲した形態を維持する。よって、１個のアーム１９と２個のさや管２０，２０は、アーム１９の両端で屈曲する２個の関節構造を構成する。
このようなアーム１９とさや管２０をそれぞれ複数個連結すれば、多数の関節が連設された多数関節ロッド１８が構成される。
このような多数関節ロッド１８は、２本が並行となってグリップ１とヘッド部２に掛け渡されている。この場合、多数関節ロッド１８，１８は両端がそれぞれグリップ１およびヘッド部２に対し嵌め込み、接着、ねじ込み、その他の手段で固定してあり、このためグリップ１とヘッド部２はこれら２本の多数関節ロッド１８，１８により機械的に連結されている。【００１２】  上記２本の多数関節ロッド１８，１８の間には、通水路としてフレキシブルホース１７が挿通されている。フレキシブルホース１７は、図４に示されるとおり、例えば水道用ホース、繊維強化などの耐圧ホース、またはシリコーン製ゴムなどのようなゴムホース２１の両端に差込コネクタ２２，２２を備え、これらコネクタ２２，２２にゴム質リング形シール材としてのＯリング２３，２３を装着して構成されている。差込みコネクタ２２は竹の子口２２ａを有し、この竹の子口２２ａに上記ゴムホース２１の両端を圧入にて差し込んである。
このようなフレキシブルホース１７は、両端のコネクタ２２，２２を、グリップ側通水路８のホース差込口８ａおよびヘッド側通水路１４のホース差込口１４ａに挿入することで、グリップ１とヘッド側を結ぶ軸線上に位置し、シャワーホース５より供給される水をグリップ側通水路８からヘッド側通水路１４に導くようになっている。
また、両端のコネクタ２２，２２をホース差込口８ａおよびホース差込口１４ａに挿入した場合、Ｏリング２３，２３がホース差込口８ａ，１４ａの内周面に密着して水漏れを防止することができるようになっている。
また、グリップ１とヘッド部２の間には、合成樹脂やゴムなどの蛇腹チューブからなるカバーチューブ２５が掛け渡されており、このカバーチューブ２５は両端が締付けベルト２６などでグリップ１およびヘッド部２に取着されている。
このカバーチューブ２５は、一対の多数関節ロッド１８，１８およびフレキシブルホース１７を覆っており、これら多数関節ロッド１８，１８およびフレキシブルホース１７が剥き出しに見えるのを隠すとともに保護するものであり、かつシャワーヘッド全体の美的感覚を向上させる。【００１３】  このような構成の実施例１について、作用を説明する。
このシャワーヘッドはグリップ１を有するので、使用者はグリップ１を把持して操作でき、散水板１０からシャワー水が放出されている状態で操作すればシャワー水を希望する箇所に向かわせることができる。
そして、両手が塞がっている場合などは、シャワーヘッドを浴室の壁の支持フック７に引っ掛けて使用する。この状態では散水板１１の向き、すなわちシャワー水の噴射方向は一定の向きになる。
シャワー水の向きを変えたい場合は、使用者がヘッド部２を掴んで上向き又は下向きに力を加える。すると、２本の多数関節ロッド１８，１８がそれぞれ、両端にオス型球面１９ａ，１９ａを備えた複数のアーム１９…と複数のさや管２０…を交互に連結し、かつ各アーム１９のオス型球面１９ａとさや管２０のメス型球面２０ａが互いに所定の摩擦力を持って摺動可能に結合されているので、これらオス型球面１９ａとメス型球面２０ａとで関節を構成し、しかもこのような関節が軸方向に多数個形成されているので、２本の多数関節ロッド１８，１８は屈曲可能となり、屈曲した形態を維持する。
よって、ヘッド部２の向きを、図１の（Ａ）部に示す直立姿勢から、（Ｂ）図に示すように俯き方向のように曲げることができる。この結果、シャワー水の噴射方向、すなわち俯仰角を調節することができる。
そして、このように多数関節ロッド１８，１８を屈曲させた場合、内部に挿通されているフレキシブルホース１７も屈曲自在であるため多数関節ロッド１８，１８の曲がりに追随して曲がり、よって、グリップ１側からヘッド部２側に向かう通水経路を確保し、水漏れを防止することができる。【００１４】
【実施例２】
【００１５】    上記実施例１の多数関節ロッド１８，１８は、図３に示すように、複数本のアーム１９…と複数本のさや管２０…を連結して多数個の関節部を連設してなる屈曲自在なフレキシブル連結ロッド１６を構成したが、関節部は少なくとも２箇所形成すれば、従来の単一の球面継手タイプに比べて、曲げ量を大きくすることができる。
そのためには、図５に示すように、両端にオス型球面１９ａ，１９ａを備えた１本のアーム１９…と、それぞれ一端にメス型球面２８ａを有する２本のさや管２８，２８…を互いに摺動可能に連結すれば、屈曲自在な関節部を２箇所に形成することができる。
したがって、関節ロッド１８を構成する場合、両端にオス型球面１９ａ，１９ａを備えた少なくとも１本のアーム１９…と、少なくとも一端にメス型球面２８ａを有する一対のさや管２８，２８を用いれば実施可能であり、これに更に関節部を増やしたい場合には両端にメス型球面２０ａ，２０ａを有するさや管２０…を追加して連結すればよい。【００１６】
【実施例３】
【００１７】  次に実施例３について、図６にもとづき説明する。
図６は実施例３のシャワーヘッドの断面図である。
上記実施例１では、フレキシブル連結ロッド１６として多数関節ロッド１８を用いた例を説明したが、本実施例３では、曲げ変形自在であり、曲げた場合にその曲げ形状を維持するフレキシブル連結ロッドとして軟質金属ワイヤーを用いた例を示す。
軟質金属としては軟鉄ワイヤーや銅又は銅合金ワイヤーなどが有効であり、繰り返し変形に耐えられる金属ワイヤーが望ましい。
また、ワイヤーは１本を単独で使用することも可能であるが、２本又は３本以上を束にして撚り合わせたワイヤー３０を使用することできる。
撚り合わせワイヤー３０は、フレキシブルホース１７の左右両側に、２本が並行となってグリップ１とヘッド部２に掛け渡されている。そしてこれら撚り合わせワイヤー３０，３０は両端がそれぞれグリップ１およびヘッド部２に対し嵌め込み、接着、ねじ込み、その他の手段で固定してあり、このためグリップ１とヘッド部２はこれら２本の撚り合わせワイヤー３０，３０により機械的に連結されている。
その他の構成は、実施例２の場合と同様であってよいので、同一部材には同一番号を付して説明を省略する。
このような実施例３の場合、ヘッド部２の向きを変えるべく力を加えると、撚り合わせワイヤー３０，３０が力を加えた方向に曲げ変形するとともに、曲げ力を解除した場合には曲げた形状に維持する。よって、ヘッド部２の向きを上下方向に変えることができ、シャワー水の噴射方向を調節することができる。【００１８】
【産業上の利用可能性】
【００１９】  以上説明した通り本考案によれば、ヘッド部の向きを変更可能であるから、シャワー水の噴射方向を自在に変更することができる。しかも、グリップとヘッド部を連結する角度調節手段は、曲げ変形自在なフレキシブルな連結ロッドであるから、従来の単一の球面継手タイプに比べて曲げ量を大きくすることができ、噴射方向の調節範囲が大きくなり、使い勝手が向上する。
【符号の説明】
【００２０】１…グリップ
２…ヘッド部
３…角度調節手段
１０…散水板
１６…フレキシブル連結ロッド
１７…フレキシブルホース
１８…多数関節ロッド
１９…アーム
１９ａ，１９ａ…オス型球面
２０…さや管
２０ａ，２０ａ…メス型球面
２１…ゴムホース
２５…カバーチューブ
３０…撚り合わせワイヤー
【図１】
0003168789.tif 000003
【図２】
0003168789.tif 000004
【図３】
0003168789.tif 000005
【図４】
0003168789.tif 000006
【図５】
0003168789.tif 000007
【図６】
0003168789.tif 000008